(57)【要約】      （修正有）【課題】ポイントサービスの会員が保有するポイントを効率的に利用することが可能なポイント決済装置を提供する。【解決手段】ポイント決済実行部３５は、店舗内端末から出力された会員情報に対応する会員１０Ａの会員ページ３１から保有ポイント情報を取得し、取得した保有ポイント情報に基づいて購入代金に相当するポイント消費量を算出する。ポイント決済実行部３５は、算出したポイント消費量に関するポイント消費情報を、会員１０Ａの会員ページ３１へ出力する。会員１０Ａの個人端末１０は、会員１０Ａの会員ページ３１へアクセスし、ポイント消費情報を取得する。会員１０Ａの個人端末１０からポイント消費情報の許諾の指示を受け取ると、ポイント決済実行部３５は、商品の購入代金のポイント決済を行う。【選択図】図２
0003212409.tif 000002
【実用新案登録請求の範囲】
【請求項１】
ポイントサービスの会員が所有する個人端末と、
前記ポイントサービスの加盟店に設けられた店舗内端末と、
前記会員が保有する複数種類のポイントを管理するポイント管理サーバと、
を備え、
前記ポイント管理サーバは、前記会員ごとの会員ページと、ポイント決済実行部と、を有し、
前記店舗内端末は、前記個人端末から前記会員を特定する会員情報を取得し、取得した前記会員情報及び前記会員が購入する商品の購入代金を前記ポイント管理サーバへ出力し、
前記ポイント決済実行部は、入力された前記会員情報に対応する前記会員が保有する前記ポイントのポイント残高を一覧にした保有ポイント情報を生成し、生成した前記保有ポイント情報に基づいて前記購入代金に相当するポイント消費量を算出し、算出した前記ポイント消費量に関するポイント消費情報を、対応する前記会員の前記会員ページへ表示させ、対応する前記会員の前記会員ページへアクセスするためのアクセス情報を生成し、生成した前記アクセス情報を、対応する前記店舗内端末へ表示させ、
対応する前記会員の前記個人端末は、対応する前記店舗内端末から前記アクセス情報を取得し、取得した前記アクセス情報に基づいて、対応する前記会員の前記会員ページへアクセスし、生成された前記ポイント消費情報を取得し、
対応する前記会員の前記個人端末から前記ポイント消費情報の許諾の指示を受け取ると、前記ポイント決済実行部は、前記ポイント消費情報に基づいた前記商品の前記購入代金のポイント決済を行う、
ポイント決済装置。
【請求項２】
請求項１に記載のポイント決済装置において、
前記ポイントに有効期限が設けられている場合、
前記ポイント決済実行部は、前記有効期限が最も早い前記ポイントを消費する前記ポイント消費情報を生成する、
ポイント決済装置。
【請求項３】
請求項１に記載のポイント決済装置において、
前記ポイント決済実行部は、複数種類の前記ポイントを組み合わせた前記ポイント消費情報を生成する、
ポイント決済装置。
【請求項４】
請求項３に記載のポイント決済装置において、
前記ポイントに有効期限が設けられている場合、
前記ポイント決済実行部は、前記有効期限が早い複数種類の前記ポイントを組み合わせた前記ポイント消費情報を生成する、
ポイント決済装置。
【請求項５】
請求項１に記載のポイント決済装置において、
前記ポイント決済実行部は、前記ポイント決済を実行すると、前記ポイント決済が実行されたことを示す通知を、対応する前記店舗内端末へ表示させる、
ポイント決済装置。
【請求項６】
請求項１に記載のポイント決済装置において、
前記ポイント決済実行部は、前記ポイント決済を実行すると、前記ポイント決済が実行されたことを示す通知を、対応する前記会員の前記会員ページへ表示させる、
ポイント決済装置。
【請求項７】
請求項１に記載のポイント決済装置において、
前記ポイント決済実行部は、前記ポイント決済を実行すると、前記ポイント消費量に相当する現金を、対応する前記加盟店の預金口座へ入金する入金処理を行う、
ポイント決済装置。
【請求項８】
請求項７に記載のポイント決済装置において、
前記ポイント管理サーバは、前記加盟店ごとの加盟店ページを有し、
前記ポイント決済実行部は、前記入金処理が行われたことを示す通知を、対応する前記加盟店の前記加盟店ページへ表示させる、
ポイント決済装置。
【請求項９】
請求項１に記載のポイント決済装置において、
前記個人端末は、撮像部と第１の表示部とを備え、
前記店舗内端末は、第２の表示部を備え、入力された前記アクセス情報を前記第２の表示部に表示し、
前記個人端末は、前記撮像部を用いて前記第２の表示部に表示された前記アクセス情報を撮像し、撮像した前記アクセス情報に基づいて、対応する前記会員ページへアクセスし、前記ポイント消費情報を取得し、取得した前記ポイント消費情報を前記第１の表示部に表示する、
ポイント決済装置。
【請求項１０】
請求項９に記載のポイント決済装置において、
前記アクセス情報が２次元コードで構成されている、
ポイント決済装置。
【請求項１１】
請求項１に記載のポイント決済装置において、
前記店舗内端末は、会員情報取得部を備え、
前記個人端末は、第１の表示部を備え、
前記会員情報取得部は、前記個人端末の前記第１の表示部に表示された前記会員情報を取得する、
ポイント決済装置。
【請求項１２】
請求項１に記載のポイント決済装置において、
対応する前記会員の前記個人端末から前記ポイント消費情報の拒絶の指示を受け取ると、前記ポイント決済実行部は、対応する前記会員に、消費する前記ポイントを選択させ、選択された前記ポイントに基づいた新たな前記ポイント消費情報を生成する、
ポイント決済装置。
【請求項１３】
ポイントサービスの会員が所有する個人端末と、
前記ポイントサービスの加盟店のネットワーク上の商品販売サイトを表示する情報処理端末と、
前記会員が保有する複数種類のポイントを管理するポイント管理サーバと、
を備え、
前記ポイント管理サーバは、前記会員ごとの会員ページと、ポイント決済実行部と、を有し、
前記情報処理端末は、前記会員を特定する会員情報を取得し、取得した前記会員情報及び前記商品販売サイトにおける前記会員が購入する商品の購入代金を前記ポイント管理サーバへ出力し、
前記ポイント決済実行部は、入力された前記会員情報に対応する前記会員が保有する前記ポイントのポイント残高を一覧にした保有ポイント情報を生成し、生成した前記保有ポイント情報に基づいて前記購入代金に相当するポイント消費量を算出し、算出した前記ポイント消費量に関するポイント消費情報を、対応する前記会員の前記会員ページへ表示させ、対応する前記会員の前記会員ページへアクセスするためのアクセス情報を生成し、生成した前記アクセス情報を、対応する前記情報処理端末へ表示させ、
対応する前記会員の前記個人端末は、対応する前記情報処理端末に表示された前記アクセス情報を取得し、取得した前記アクセス情報に基づいて、対応する前記会員の前記会員ページへアクセスし、生成された前記ポイント消費情報を取得し、
対応する前記会員の前記個人端末から前記ポイント消費情報の許諾の指示を受け取ると、
前記ポイント決済実行部は、前記ポイント消費情報に基づいた前記商品のポイント決済を行う、
ポイント決済装置。
【請求項１４】
請求項１３に記載のポイント決済装置において、
前記ポイントに有効期限が設けられている場合、
前記ポイント決済実行部は、前記有効期限が最も早い前記ポイントを消費する前記ポイント消費情報を生成する、
ポイント決済装置。
【請求項１５】
請求項１３に記載のポイント決済装置において、
前記ポイント決済実行部は、複数種類の前記ポイントを組み合わせた前記ポイント消費情報を生成する、
ポイント決済装置。
【請求項１６】
請求項１５に記載のポイント決済装置において、
前記ポイントに有効期限が設けられている場合、
前記ポイント決済実行部は、前記有効期限が早い複数種類の前記ポイントを組み合わせた前記ポイント消費情報を生成する、
ポイント決済装置。
【請求項１７】
請求項１３に記載のポイント決済装置において、
前記ポイント管理サーバは、前記加盟店ごとの加盟店ページを有し、
前記ポイント決済実行部は、前記ポイント決済を実行すると、前記ポイント決済が実行されたことを示す通知を、対応する前記加盟店の前記加盟店ページへ表示させる、
ポイント決済装置。
【請求項１８】
請求項１３に記載のポイント決済装置において、
前記ポイント決済実行部は、前記ポイント決済を実行すると、前記ポイント決済が実行されたことを示す通知を、対応する前記会員の前記会員ページへ表示させる、
ポイント決済装置。
【請求項１９】
請求項１３に記載のポイント決済装置において、
前記ポイント決済実行部は、前記ポイント決済を実行すると、前記ポイント決済に対応する現金を、対応する前記加盟店の預金口座へ入金する、
ポイント決済装置。
【請求項２０】
請求項１９に記載のポイント決済装置において、
前記ポイント管理サーバは、前記加盟店ごとの加盟店ページを有し、
前記ポイント決済実行部は、前記ポイント決済に対応する前記現金が入金されたことを示す通知を、対応する前記加盟店の前記加盟店ページへ表示させる、
ポイント決済装置。
【請求項２１】
請求項１３に記載のポイント決済装置において、
前記個人端末は、撮像部を備え、
前記撮像部は、前記情報処理端末に表示された前記アクセス情報を撮像し、
前記個人端末は、撮像された前記アクセス情報に基づいて、対応する前記会員の前記会員ページへアクセスし、前記消費ポイント情報を表示する、
ポイント決済装置。
【請求項２２】
請求項１３に記載のポイント決済装置において、
前記個人端末は、撮像部と第１の表示部とを備え、
前記情報処理端末は、第３の表示部を備え、
前記個人端末は、前記撮像部を用いて前記情報処理端末の前記第３の表示部に表示された前記アクセス情報を撮像し、撮像された前記アクセス情報に基づいて、対応する前記会員ページへアクセスし、前記ポイント消費情報を取得し、取得した前記ポイント消費情報を前記第１の表示部に表示する、
ポイント決済装置。
【請求項２３】
請求項２２に記載のポイント決済装置において、
前記アクセス情報が２次元コードで構成されている、
ポイント決済装置。
【請求項２４】
請求項１３に記載のポイント決済装置において、
対応する前記会員の前記個人端末から前記ポイント消費情報の許諾の指示を受け取ると、
前記ポイント決済実行部は、対応する前記会員に、消費する前記ポイントを選択させ、選択された前記ポイントに基づいた新たな前記ポイント消費情報を生成する、
ポイント決済装置。
【考案の詳細な説明】
【技術分野】
【０００１】
本考案は、ポイント決済装置に関する。
【背景技術】
【０００２】
近年、いわゆるポイントサービスが普及しつつある。ポイントサービスとは、商品購入時、ポイントサービスの会員に対し、購入金額に対する所定の割合がポイントとして付与されるものである。付与されたポイントは、次回以降の購入時の決済時に、購入代金の全部又は一部に充当される。
【０００３】
例えば、特許文献１には、加盟店側における、共通ポイントサービスに要する導入コストを低減するポイント管理システム等が開示されている。
【０００４】
具体的には、ポイント管理システムは、加盟店クライアント端末と、加盟店クライアント端末とネットワーク接続された加盟店処理サーバと、会員携帯端末と、会員携帯端末とネットワーク接続されている会員処理サーバと、加盟店処理サーバおよび会員処理サーバとネットワーク接続されたポイント決済サーバと、加盟店処理サーバ、会員処理サーバおよびポイント決済サーバとネットワーク接続され会員ポイント決済処理に必要なデータを格納したデータベース装置とから構成されている。
【０００５】
ポイント決済サーバは、加盟店クライアント端末からポイント取引内容を受信すると、ポイント取引毎に照合用の識別子を発行する。また、ポイント決済サーバは、照合用の識別子を含み、データベース装置に格納される第１の照合用情報と、照合用の識別子を含み、加盟店サーバに送信する第２の照合用情報とを作成する取引用データ生成部と、第２の照合用情報であって、加盟店処理サーバ、加盟店クライアントサーバ、会員携帯端末、を経由して会員処理サーバからポイント決済サーバに戻った第２の照合用情報の照合用の識別子と、第１の照合用情報の照合用の識別子とを照合する照合部と、照合部で、第１の照合用情報の照合用の識別子と第２の照合用情報の照合用の識別子とが一致した場合に、ポイントの決済を実行するポイント決済部と、を有する。
【先行技術文献】
【特許文献】
【０００６】
【特許文献１】特開２０１２−１６８６１１号公報
【考案の概要】
【考案が解決しようとする課題】
【０００７】
ポイントサービスの会員は、同一のポイントサービスを提供する加盟店のみで、付与されたポイントを使用することができる。しかし、ポイントには有効期限が設定されているものがあり、有効期限が経過すると保有しているポイントが失効する。また、複数のポイントサービスの会員となると、保有するポイントの種類が増加するため、使用できずにポイントが失効する場合もある。
【０００８】
そこで、本考案は、ポイントサービスの会員が保有するポイントを効率的に利用することが可能なポイント決済装置を提供することを目的とする。
【課題を解決するための手段】
【０００９】
本願において開示される考案のうち、代表的なものの概要を簡単に説明すれば、以下のとおりである。
【００１０】
すなわち、本考案の代表的な実施の形態によるポイント決済装置は、ポイントサービスの会員が所有する個人端末と、ポイントサービスの加盟店に設けられた店舗内端末と、会員が保有する複数種類のポイントを管理するポイント管理サーバと、を備えている。ポイント管理サーバは、会員ごとの会員ページと、ポイント決済実行部と、を有している。店舗内端末は、個人端末から会員を特定する会員情報を取得し、取得した会員情報及び会員が購入する商品の購入代金をポイント管理サーバへ出力する。
【００１１】
ポイント決済実行部は、入力された会員情報に対応する会員の会員ページから、対応する会員が保有するポイントに関する保有ポイント情報を取得し、取得した保有ポイント情報に基づいて購入代金に相当するポイント消費量を算出し、算出したポイント消費量に関するポイント消費情報を、対応する会員の会員ページへ出力し、対応する会員の会員ページへアクセスするためのアクセス情報を生成し、生成したアクセス情報を、対応する店舗内端末へ出力する。
【００１２】
対応する会員の個人端末は、対応する店舗内端末からアクセス情報を取得し、取得したアクセス情報に基づいて、対応する会員の会員ページへアクセスし、生成されたポイント消費情報を取得する。対応する会員の個人端末からポイント消費情報の許諾の指示を受け取ると、ポイント決済実行部は、ポイント消費情報に基づいた商品のポイント決済を行う。
【考案の効果】
【００１３】
本考案の代表的な実施の形態によれば、ポイントサービスの会員が保有するポイントを効率的に利用することが可能なポイント決済装置を提供することが可能となる。
【図面の簡単な説明】
【００１４】
【図１】本考案の実施の形態１に係るポイント決済装置の構成の一例を示すブロック図である。
【図２】本考案の実施の形態１に係るポイント決済の概要の一例を示す図である。
【図３】ポイント消費情報の構成の一例を示す図である。
【図４】店舗内端末に表示されたアクセス情報の構成の一例を示す図である。
【図５】ポイント消費情報が表示された個人端末の一例を示す図である。
【図６】消費ポイント選択画面が表示された個人端末の一例を示す図である。
【図７】本考案の実施の形態２に係るポイント決済装置の構成の一例を示すブロック図である。
【図８】本考案の実施の形態２に係るポイント決済の概要の一例を示す図である。
【図９】情報処理端末に表示された支払方法の選択画面の一例を示す図である。
【考案を実施するための形態】
【００１５】
以下、本考案の実施の形態を図面に基づいて詳細に説明する。なお、実施の形態を説明するための全ての図において、同一部には原則として同一の符号を付し、その繰り返しの説明は省略する。
【００１６】
（実施の形態１）
＜ポイント決済装置の構成＞
図１は、本考案の実施の形態１に係るポイント決済装置の構成の一例を示すブロック図である。ポイント決済装置１は、例えば図１に示すように、個人端末１０、店舗内端末２０、ポイント管理サーバ３０、ネットワーク４０等を備えている。
【００１７】
個人端末１０は、ポイントサービスの会員が所有する端末である。それぞれの会員は、自身が所有する個人端末１０を用いてポイントサービスを利用することができる。個人端末１０は、例えば、スマートフォン、携帯電話、いわゆるタブレット端末等のネットワーク４０と接続可能な各種機器で構成されている。
【００１８】
個人端末１０は、図１に示すように、例えば、撮像部１１、表示部（第１の表示部）１３、ネットワーク通信部１５等を備えている。撮像部１１は、例えば、店舗内端末２０等に表示される後述のアクセス情報等を撮像する。
【００１９】
表示部１３は、例えば、液晶パネルや有機ＥＬ（Ｅｌｅｃｔｒｏｌｕｍｉｎｅｓｃｅｎｃｅ）パネル等で構成されている。表示部１３は、例えば、ポイントサービスの会員を特定する会員情報、撮像部１１で撮像される後述のアクセス情報や、ポイント管理サーバ３０で生成される後述のポイント消費情報等を表示する。
【００２０】
なお、個人端末１０には、表示部１３とは別体で複数のボタンが設けられてもよい。また、表示部１３がタッチパネル機能を備え、必要に応じてこれらのボタンが表示部１３に表示されてもよい。
【００２１】
ネットワーク通信部１５は、有線又は無線によりネットワーク４０と接続されている。これにより、個人端末１０は、ネットワーク通信部１５を介してネットワーク４０と接続される。また、個人端末１０は、ネットワーク４０を介してポイント管理サーバ３０等と接続される。また、個人端末１０は、ネットワーク４０を介してポイント管理サーバ３０等と接続され、ポイント管理サーバ３０との間で各種情報の入出力を行う。
【００２２】
店舗内端末２０は、ポイントサービスの加盟店に設けられている。店舗内端末２０は、ポイント決済用の端末である。なお、店舗内端末２０は、例えば、キャッシュレジスタやＰＯＳ（Ｐｏｉｎｔ  Ｏｆ  Ｓａｌｅｓ）等と一体で構成されてもよいし、これらとは別体で構成されてもよい。
【００２３】
店舗内端末２０は、図１に示すように、例えば、会員情報取得部２１、表示部（第２の表示部）２３、ネットワーク通信部２５等を備えている。会員情報取得部２１は、例えば、ポイントサービスの会員の個人端末１０に表示された会員情報を取得する。会員情報取得部２１は、例えば、撮像部及び撮像画像を処理して会員情報を検出する画像処理部で構成されている。また、例えば、会員情報が１次元コードや２次元コードで構成されている場合、会員情報取得部２１は、いわゆるバーコードリーダー等で構成されてもよい。
【００２４】
なお、店舗内端末２０が、キャッシュレジスタやＰＯＳと一体で構成される場合、これらに設けられるバーコードリーダー等の情報取得部が会員情報取得部２１として使用されてもよい。
【００２５】
店舗内端末２０は、取得した会員情報及び会員が購入する商品の購入代金に関する情報を、ネットワーク４０を介してポイント管理サーバ３０へ出力する。なお、商品の購入代金には、例えば、レストラン等における飲食代金も含まれ、このような飲食代金もポイント決済の対象となる。
【００２６】
表示部２３は、例えば、液晶パネルや有機ＥＬパネル等で構成されている。表示部２３は、例えば、会員が購入する商品の商品名や購入代金等の情報、後述するアクセス情報等を表示する。なお、店舗内端末２０が、キャッシュレジスタやＰＯＳと一体で構成される場合、これらに設けられる表示部を店舗内端末２０の表示部２３として使用してもよい。
【００２７】
ネットワーク通信部２５は、有線又は無線によりネットワーク４０と接続されている。これにより、店舗内端末２０は、ネットワーク通信部２５を介してネットワーク４０と接続される。また、店舗内端末２０は、ネットワーク４０を介してポイント管理サーバ３０等と接続され、ポイント管理サーバ３０との間で各種情報の入出力を行う。
【００２８】
ポイント管理サーバ３０は、ポイントサービスの会員が保有する複数種類のポイントの管理等を行う。ポイント管理サーバ３０は、図１に示すように、複数の会員ページ３１、複数の加盟店ページ３３、ポイント決済実行部３５、ネットワーク通信部３７、ストレージ３９等を備えている。
【００２９】
会員ページ３１は、会員ごとに設けられている。したがって、ポイント管理サーバ３０には、会員数に応じて複数の会員ページ３１が設けられている。それぞれの会員ページ３１は、対応する会員を特定する会員情報、対応する会員が保有する複数種類のポイント等を表示する。また、ポイントに有効期限が設けられている場合、会員ページ３１は、種類ごとにポイントの有効期限に関する情報も表示する。
【００３０】
また、それぞれの会員ページ３１は、例えば、種類ごとのポイント残高及びポイントの有効期限を一覧にした保有ポイント情報等の各種情報を表示する。また、それぞれの会員ページ３１は、ポイント決済実行部３５から出力される通知等を表示する。
【００３１】
加盟店ページ３３は、加盟店ごとに設けられている。したがって、ポイント管理サーバ３０には、加盟店数に応じて複数の加盟店ページ３３が設けられている。それぞれの加盟店ページ３３は、ポイント決済実行部３５から出力される通知等の各種情報等を表示する。
【００３２】
ポイント決済実行部３５は、会員が購入する商品のポイント決済を行う。例えば、ポイント決済実行部３５は、店舗内端末２０から出力され入力された会員情報に対応する会員の会員ページ３１から保有ポイント情報を取得し、取得した保有ポイント情報に基づいて商品の購入代金に相当するポイント消費量を算出する。また、ポイント決済実行部３５は、算出したポイント消費量に関するポイント消費情報を、対応する会員の会員ページ３１へ出力し、対応する会員の会員ページ３１へアクセスするためのアクセス情報を生成し、生成した前記アクセス情報を、対応する店舗内端末２０へ出力する。対応する会員がポイント消費情報の内容を許諾すると、ポイント決済実行部３５は、ポイント消費情報に基づいた商品のポイント決済を行う。
【００３３】
ネットワーク通信部３７は、有線又は無線によりネットワーク４０と接続されている。これにより、ポイント管理サーバ３０は、ネットワーク通信部３７を介してネットワーク４０と接続される。また、ポイント管理サーバ３０は、ネットワーク４０を介して個人端末１０及び店舗内端末２０と接続され、これらとの間で各種情報の入出力を行う。
【００３４】
ストレージ３９は、それぞれの会員１０Ａ及び加盟店２０Ａに関する各種情報を格納する。例えば、ストレージ３９は、それぞれの会員１０Ａを特定する会員情報、対応する会員が保有する複数種類のポイント等を格納する。また、ストレージ３９は、ポイントの有効期限に関する情報や、会員１０Ａごとのポイント残高及びポイントの有効期限を一覧にした保有ポイント情報等の各種情報を格納する。また、ストレージ３９は、会員１０Ａへの通知の内容等を格納する。また、ストレージ３９は、それぞれの加盟店２０Ａを特定する加盟店情報や、加盟店２０Ａへの通知の内容等の各種情報を格納する。
【００３５】
また、ストレージ３９は、ポイント決済に関する詳細情報等を格納する。ポイント決済が実行された場合、ストレージ３９は、例えば、会員情報、加盟店に関する情報、ポイント決済が実行された時刻、消費されたポイントの種類及びポイント数、購入した商品の商品名及び購入代金等の情報を格納する。また、ポイント決済が実行されなかった場合、例えば、ポイント決済を実行しようとした時刻、会員情報、加盟店に関する情報、ポイント決済が実行されなかった理由（例えば、ポイント残高の不足、会員によるポイント決済中止の指示）等の各種情報を格納する。
【００３６】
＜ポイント決済の概要＞
次に、本実施の形態におけるポイント決済の概要について説明する。図２は、本考案の実施の形態１に係るポイント決済の概要の一例を示す図である。図２では、会員１０Ａ、個人端末１０、加盟店２０Ａ、店舗内端末２０、ポイント管理サーバ３０間におけるポイント決済の概要が示されている。なお、ここでは、加盟店であるレストランにおける飲食代金を例にして、ポイント決済の概要を説明する。
【００３７】
＜＜ステップＳ１０＞＞
会員１０Ａは、ポイント決済により飲食代金（購入代金）を支払う旨を加盟店２０Ａに申し出る。このとき、会員１０Ａは、例えば、個人端末１０を操作し、ポイントサービスの会員情報を表示部１３に表示させる。そして、店舗内端末２０は、会員情報取得部２１により、個人端末１０に表示された会員情報を取得する。
【００３８】
また、加盟店２０Ａは、例えば、キャッシュレジスタやＰＯＳにより会員１０Ａの飲食代金を算出する。なお、飲食代金の算出後に会員情報が取得されてもよいし、会員情報の取得と飲食代金の算出が並行して行われてもよい。
【００３９】
＜＜ステップＳ２０＞＞
次に、店舗内端末２０は、取得した会員情報及び会員１０Ａの飲食代金に関する情報をポイント管理サーバ３０へ出力する。これにより、ポイント管理サーバ３０は、ポイント決済の処理を開始する。なお、店舗内端末２０は、会員情報及び飲食代金に関する情報とともに、ポイント管理サーバ３０にポイント決済の処理を開始させるポイント決済開始信号を出力してもよい。
【００４０】
＜＜ステップＳ３０＞＞
ポイント決済実行部３５は、入力された会員情報に基づいて、対応する会員１０Ａが保有するポイントのポイント残高一覧にした保有ポイント情報を生成する。ポイント決済実行部３５は、生成した保有ポイント情報に基づいて、消費するポイントの種類を選択する。例えば、ポイント決済実行部３５は、会員１０Ａの保有ポイント情報を参照し、ポイントの有効期限が最も早い種類を選択する。ポイント決済実行部３５は、選択した種類において、飲食代金に相当するポイント消費量を算出する。
【００４１】
このとき、選択した有効期限が最も早いポイントのポイント残高が、飲食代金に相当するポイント消費量より少ない場合、ポイント決済実行部３５は、その次にポイントの有効期限が早い種類を選択し、その次に選択した種類において、不足分の飲食代金に相当するポイント消費量を算出する。
【００４２】
そして、ポイント決済実行部３５は、算出したポイント消費量に関する情報を一覧にしたポイント消費情報を生成する。図３は、ポイント消費情報の構成の一例を示す図である。ポイント消費情報３１Ａには、例えば、図３に示すように、ポイントの種類及びポイント消費量が示されており、複数種類を選択した場合には、それぞれのポイントの種類とポイント消費量とが対応付けて示されている。また、ポイント消費情報３１Ａには、図３に示すように、それぞれのポイントの有効期限が含まれてもよい。ポイント決済実行部３５は、生成したポイント消費情報３１Ａを会員１０Ａの会員ページ３１へ出力し、表示させる。
【００４３】
＜＜ステップＳ４０＞＞
また、ポイント決済実行部３５は、会員１０Ａの会員ページ３１へアクセスするためのアクセス情報を生成する。例えば、ポイント決済実行部３５は、１次元コードや、ＱＲコード（登録商標）等の２次元コードで構成されたアクセス情報を生成する。ポイント決済実行部３５は、生成したアクセス情報を、対応する加盟店２０Ａの店舗内端末２０へ出力し、表示させる。なお、ポイント決済実行部３５は、生成したポイント消費情報の出力処理と並行してアクセス情報の生成、出力に関する処理を行ってもよい。
【００４４】
＜＜ステップＳ５０＞＞
次に、加盟店２０Ａの店舗内端末２０は、入力されたアクセス情報を表示部２３に表示する。図４は、店舗内端末に表示されたアクセス情報の構成の一例を示す図である。図４では、２次元コードで構成されたアクセス情報３１Ｂが例示されている。会員１０Ａは、自身の個人端末１０操作して撮像部１１を起動させる。会員１０Ａの個人端末１０は、撮像部１１を用いて店舗内端末２０の表示部２３に表示されたアクセス情報３１Ｂを撮像し取得する（Ｓ５０）。
【００４５】
＜＜ステップＳ７０〜Ｓ８０＞＞
会員１０Ａの個人端末１０は、撮像したアクセス情報３１Ｂに基づいて、会員１０Ａの会員ページ３１へアクセスする（Ｓ７０）。そして、会員１０Ａの個人端末１０は、会員１０Ａの会員ページ３１から、ポイント決済実行部３５で生成されたポイント消費情報を取得する。会員１０Ａの個人端末１０は、取得したポイント消費情報３１Ａを表示部１３に表示する。
【００４６】
図５は、ポイント消費情報が表示された個人端末の一例を示す図である。例えば、ポイント消費情報が表示されているとき、表示部１３には、ポイント消費情報３１Ａの他に、ポイント消費情報３１Ａの内容を許諾するかどうかを選択する選択ボタン１３Ａ、１３Ｂが表示される。例えば、選択ボタン１３Ａは、ポイント消費情報３１Ａの内容を許諾する場合に押下（タップ）されるボタンであり、選択ボタン１３Ｂは、ポイント消費情報３１Ａの内容を拒絶する場合に押下されるボタンである（Ｓ８０）。
【００４７】
＜＜ステップＳ９０＞＞
会員１０Ａは、自身の個人端末１０に表示されたポイント消費情報３１Ａの内容を確認する。そして、会員１０Ａは、ポイント消費情報３１Ａの内容を許諾する場合、図５に示す選択ボタン１３Ａを押下（タップ）する。これにより、個人端末１０は、ポイント消費情報３１Ａの内容の許諾を指示するポイント消費情報許諾信号をポイント管理サーバ３０へ出力する。
【００４８】
＜＜ステップＳ１００＞＞
ポイント消費情報許諾信号を受け取ると、ポイント決済実行部３５は、ポイント消費情報３１Ａに基づいた飲食代金（購入代金）のポイント決済を行う。ポイント決済実行部３５は、ポイント決済を実行すると、ポイント決済に関する詳細情報を、例えばストレージ３９等に格納する。詳細情報には、例えば、会員情報、加盟店に関する情報、ポイント決済が実行された時刻、消費されたポイントの種類及びポイント数、購入した商品の商品名及び購入代金等が含まれる。これにより、ポイント管理サーバ３０に、ポイント決済の履歴が残される。
【００４９】
また、ポイント決済実行部３５は、ポイント決済を実行すると、ポイント決済が実行されたことを、加盟店２０Ａの店舗内端末２０へ通知する。加盟店２０Ａの店舗内端末２０は、ポイント決済実行部３５からの通知に基づいて、例えば、ポイント決済が完了したことを示す画面を表示部２３に表示する。
【００５０】
このとき、ポイント決済実行部３５は、ポイント決済に関する通知を、加盟店２０Ａの加盟店ページ３３へ出力してもよい。ポイント決済に関する通知には、例えば、会員情報、ポイント決済が実行された時刻、購入した商品の商品名及び購入代金等が含まれる。これにより、加盟店２０Ａの加盟店ページ３３に、加盟店２０Ａにおけるポイント決済の履歴が残される。
【００５１】
また、ポイント決済実行部３５は、ポイント決済が実行されたことを示す通知を、会員１０Ａの会員ページ３１へ表示させてもよい。ポイント決済に関する通知には、例えば、加盟店に関する情報、ポイント決済が実行された時刻、消費されたポイントの種類及びポイント数、購入した商品の商品名及び購入代金等が含まれる。また、ポイント決済実行部３５は、ポイント決済に関する各種情報をストレージ３９へ格納させる。これにより、会員１０Ａのポイント決済の履歴が残される。
【００５２】
また、ポイント決済実行部３５は、ポイント決済を実行すると、ポイント消費量に相当する現金を、対応する加盟店２０Ａの預金口座へ入金する入金処理を行う。例えば、ポイント決済実行部３５は、ストレージ３９から、対応する加盟店２０Ａの登録された預金口座を読み出し、読み出した預金口座への入金処理を行う。また、ポイント決済実行部３５は、入金処理が行われたことを示す通知を、対応する加盟店２０Ａの加盟店ページ３３へ表示させる。
【００５３】
＜＜ポイント消費情報が拒絶された場合の処理＞＞
ステップＳ９０において、会員１０Ａは、ポイント消費情報３１Ａの内容を拒絶する場合には、図５に示す選択ボタン１３Ｂを押下（タップ）する。これにより、個人端末１０は、ポイント消費情報３１Ａの拒絶を指示するポイント消費情報拒絶信号をポイント管理サーバ３０へ出力する。
【００５４】
ポイント消費情報拒絶信号を受け取ると、ポイント決済実行部３５は、消費するポイントを、対応する会員１０Ａに選択させる。例えば、ポイント決済実行部３５は、生成した保有ポイント情報に基づき、対応する会員１０Ａの個人端末１０に消費ポイント選択画面を表示させる消費ポイント選択画面用データを生成する。ポイント決済実行部３５は、生成した消費ポイント選択画面用データを、対応する会員１０Ａの会員ページ３１へ出力する。
【００５５】
また、ポイント決済実行部３５は、ステップＳ４０で述べたアクセス情報データを、対応する加盟店２０Ａの店舗内端末２０へ出力し、表示させる。加盟店２０Ａの店舗内端末２０は、入力されたアクセス情報データに基づいて、例えば、図４に示すアクセス情報を表示部２３に表示する。
【００５６】
会員１０Ａの個人端末１０は、例えばステップＳ７０で述べた方法により会員１０Ａの会員ページ３１へアクセスし、消費ポイント選択画面用データを取得する。そして、会員１０Ａの個人端末１０は、取得した消費ポイント選択画面用データに基づいて消費ポイント選択画面を表示部１３に表示する。図６は、消費ポイント選択画面が表示された個人端末の一例を示す図である。図６に示すように、消費ポイント選択画面１４には、それぞれのポイントの種類、ポイント残高、及びポイントの有効期限が対応付けて表示されている。また、消費ポイント選択画面１４には、図６に示すように、それぞれのポイントの種類に対応する複数の選択ボタン１４Ａ、選択した内容を確定させる確定ボタン１４Ｂが設けられている。
【００５７】
会員１０Ａは、自身の個人端末１０に表示された消費ポイント選択画面１４を参照し、選択ボタン１４Ａを押下（タップ）することにより消費するポイントの種類を選択する。なお、図６には示されていないが、消費ポイント選択画面１４では、選択したポイントの種類ごとに、消費するポイント数を入力するポイント消費量入力欄が設けられてもよい。
【００５８】
消費するポイントの種類が選択され、あるいは種類ごとのポイント消費量が入力されると、会員１０Ａは、確定ボタン１４Ｂを押下（タップ）する。これにより、会員１０Ａの個人端末１０は、選択されたポイントの種類に関する情報、あるいは入力されたポイント消費量に関する情報をポイント管理サーバ３０へ出力する。
【００５９】
ポイント決済実行部３５は、選択されたポイントの種類の関する情報、あるいは入力されたポイント消費量に関する情報に基づいた新たなポイント消費情報を生成し、対応する会員１０Ａの会員ページ３１に表示させる。以降は、ステップＳ４０〜Ｓ５０、Ｓ７０〜Ｓ８０で述べた処理が行われる。生成したポイント消費情報が許諾されると、ステップＳ９０〜Ｓ１００で述べた処理が行われる。
【００６０】
なお、個人端末１０では、ポイントサービス用のアプリケーションが起動され、起動されたアプリケーションによりポイント決済に関する一連の処理が実行されてもよい。
【００６１】
＜本実施の形態による効果＞
本実施の形態によれば、店舗内端末２０は、個人端末から会員１０Ａを特定する会員情報を取得し、取得した会員情報及び会員が購入する商品の購入代金をポイント管理サーバ３０へ出力する。ポイント決済実行部３５は、入力された会員情報に対応する会員１０Ａの会員ページ３１から、保有ポイント情報を取得し、取得した保有ポイント情報に基づいたポイント消費量を算出し、算出したポイント消費量に関するポイント消費情報を、対応する会員１０Ａの会員ページ３１へ出力する。また、ポイント決済実行部３５は、アクセス情報３１Ｂを生成し、生成したアクセス情報３１Ｂを、対応する店舗内端末２０へ出力する。会員１０Ａの個人端末１０は、対応する店舗内端末２０からアクセス情報３１Ｂを取得し、取得したアクセス情報３１Ｂに基づいて、対応する会員１０Ａの会員ページ３１へアクセスしてポイント消費情報を取得する。対応する会員１０Ａがポイント消費情報の内容を許諾すると、ポイント決済実行部３５は、ポイント消費情報に基づいた商品（飲食物も含まれる）の購入代金（飲食代金も含まれる）のポイント決済を行う。
【００６２】
この構成によれば、複数種類のポイントの中から消費するポイントが選択されるので、会員１０Ａが保有するポイントを効率的に利用することが可能となる。
【００６３】
また、この構成によれば、ポイント決済に関する一連の処理において、店舗内端末２０には、会員１０Ａの保有ポイント情報やポイント消費情報３１Ａが表示されないので、会員１０Ａが保有するポイントに関する情報の漏えいを防止することができる。
【００６４】
また、本実施の形態によれば、ポイント決済実行部３５は、有効期限が最も早いポイントを消費するポイント消費情報を生成する。この構成によれば、有効期限の経過によるポイントの失効が抑えられるので、会員１０Ａが保有するポイントを、より効率的に利用することが可能となる。
【００６５】
また、本実施の形態によれば、ポイント決済実行部３５は、複数種類のポイントを組み合わせたポイント消費情報３１Ａを生成する。この構成によれば、複数種類のポイントを消費してポイント決済が行われるので、会員１０Ａが保有するポイントを、より効率的に利用することが可能となる。
【００６６】
また、本実施の形態によれば、ポイント決済実行部３５は、有効期限が早い複数種類のポイントを組み合わせたポイント消費情報３１Ａを生成する。この構成によれば、有効期限の経過によるポイントの失効がより一層抑えられるので、会員１０Ａが保有するポイントをより一層効率的に利用することが可能となる。
【００６７】
また、本実施の形態によれば、ポイント決済実行部３５は、ポイント決済を実行すると、ポイント決済が実行されたことを示す通知を、対応する店舗内端末２０へ表示させる。この構成によれば、店舗内端末２０は、ポイント決済が実行されたことを表示することができるので、店舗内端末２０を介して加盟店２０Ａの会計担当者及び会員１０Ａへポイント決済が実行されたことを知らせることが可能となる。
【００６８】
また、本実施の形態によれば、ポイント決済実行部３５は、ポイント決済を実行すると、ポイント決済が実行されたことを示す通知を、対応する会員１０Ａの会員ページ３１へ表示させる。この構成によれば、会員ページ３１に会員１０Ａのポイント決済の履歴が残されるので、ポイント決済後も、会員１０Ａによるポイント決済の詳細の確認が可能となる。
【００６９】
また、本実施の形態によれば、ポイント決済実行部３５は、ポイント決済を実行すると、ポイント消費量に相当する現金を、対応する加盟店２０Ａの預金口座へ入金する入金処理を行う。この構成によれば、ポイント決算や対応する入金処理がポイント決済実行部３５で行われるので、ポイント決算等に係る一連の処理に要する労力が軽減される。
【００７０】
また、本実施の形態によれば、ポイント決済実行部３５は、入金処理が行われたことを示す通知を、対応する加盟店２０Ａの加盟店ページ３３へ表示させる。この構成によれば、ポイント管理サーバ３０からの入金履歴が残されるので、ポイント決済が行われた商品の代金の入金の有無を加盟店２０Ａが確認することが可能となる。
【００７１】
また、本実施の形態によれば、会員１０Ａの個人端末１０は、撮像部１１を用いて店舗内端末２０の表示部２３に表示されたアクセス情報３１Ｂを撮像し、撮像したアクセス情報３１Ｂに基づいて、対応する会員ページ３１へアクセスする。また、個人端末１０は、アクセスした会員ページ３１からポイント消費情報３１Ａを取得し、取得したポイント消費情報３１Ａを表示部１３に表示する。
【００７２】
この構成によれば、例えば、スマートフォン等が有する機能を利用してポイント決済を実行することができるので、ポイント決済用の専用端末を用意しなくてもよい。これにより、ポイントサービスの導入に要するコストが低減される。
【００７３】
また、本実施の形態によれば、アクセス情報３１Ｂが２次元コードで構成されている。この構成によれば、２次元コードの生成、読み取り等を行うための既存のハードウェア及びソフトウェアを利用することができるので、ポイントサービスの導入に要するコストが低減される。
【００７４】
また、本実施の形態によれば、会員情報取得部２１は、個人端末１０の表示部１３に表示された会員情報を取得する。この構成によれば、会員１０Ａや加盟店２０Ａの会計担当者による会員情報の入力作業が省略されるので、短時間かつ正確に会員情報を取得することが可能となる。
【００７５】
また、本実施の形態によれば、会員１０Ａが、ポイント消費情報３１Ａの内容を拒絶する場合、ポイント決済実行部３５は、対応する会員１０Ａに、消費するポイントを選択させ、選択されたポイントに基づいた新たなポイント消費情報３１Ａを生成する。この構成によれば、ポイント決済で消費するポイントが会員１０Ａにより任意に選択されるので、使用状況に応じて、会員１０Ａが保有するポイントを適切に利用することが可能となる。
【００７６】
（実施の形態２）
次に、本考案の実施の形態２について説明する。本実施の形態では、例えば、ネットワークを介してポイントサービスの加盟店の商品販売サイトから商品を購入する場合のポイント決済について説明する。なお、以下では、前述の実施の形態と重複する箇所については、原則としてその説明を省略する。
【００７７】
図７は、本考案の実施の形態２に係るポイント決済装置の構成の一例を示すブロック図である。ポイント決済装置１０１は、例えば図１に示すように、個人端末１０、情報処理端末１２０、ポイント管理サーバ３０、ネットワーク４０等を備えている。
【００７８】
情報処理端末１２０は、例えば、インターネット等のネットワークと接続された端末である。情報処理端末１２０は、例えば、パソコン、タブレット端末等で構成されている。情報処理端末１２０は、図７に示すように、例えば、会員情報取得部１２１、表示部（第３の表示部）１２３、ネットワーク通信部１２５等を備えている。会員情報取得部１２１は、例えば、ポイントサービスの会員の個人端末１０に表示された会員情報を取得する。会員情報取得部１２１は、例えば、撮像部で構成され、個人端末１０の表示部１３を撮像することにより会員情報を取得する。
【００７９】
情報処理端末１２０は、取得した会員情報及びネットワーク上の商品販売サイトにおける会員が購入する商品の購入代金に関する情報を、ネットワーク４０を介してポイント管理サーバ３０へ出力する。
【００８０】
表示部１２３は、例えば、液晶パネルや有機ＥＬパネル等で構成されている。表示部１２３は、例えば、ポイントサービスの加盟店のネットワーク上の商品販売サイトを表示する。例えば、表示部１２３は、加盟店が取扱う商品の一覧を表示し、会員が選択した商品の商品名や購入代金等の商品情報を表示する。また、表示部１２３は、すでに述べたアクセス情報等も表示する。
【００８１】
ネットワーク通信部１２５は、有線又は無線によりネットワーク４０と接続されている。これにより、情報処理端末１２０は、ネットワーク通信部１２５を介してネットワーク４０と接続される。また、情報処理端末１２０は、ネットワーク４０を介してポイント管理サーバ３０等と接続され、ポイント管理サーバ３０との間で各種情報の入出力を行う。
【００８２】
＜ポイント決済の概要＞
次に、本実施の形態におけるポイント決済の概要について説明する。図８は、本考案の実施の形態２に係るポイント決済の概要の一例を示す図である。図８では、会員１０Ａ、個人端末１０、情報処理端末１２０、ポイント管理サーバ３０間におけるポイント決済の概要が示されている。
【００８３】
＜＜ステップＳ１１０＞＞
会員１０Ａは、情報処理端末１２０を操作し、ネットワーク４０上の加盟店の商品販売サイトを表示する。そして、会員１０Ａは、購入を希望する商品を選択し、この商品の代金の支払手続を行う。このとき、情報処理端末１２０の表示部１２３には、支払方法の選択画面が表示される。
【００８４】
図９は、情報処理端末に表示された支払方法選択画面の一例を示す図である。図９に示すように、支払方法選択画面１３０には、例えば、クレジットカードによる支払を選択する選択ボタン１３０Ａ、現金振り込みによる支払を選択するボタン１３０Ｂ、ポイント決済による支払を選択する選択ボタン１３０Ｃ、支払方法確定ボタン１３０Ｄが含まれる。会員１０Ａは、選択ボタン１３０Ｃをクリックしてポイント決済による支払を選択したのち、支払方法確定ボタン１３０Ｄをクリックし支払方法を確定する。
【００８５】
このとき、会員１０Ａは、例えば、個人端末１０を操作し、ポイントサービスの会員情報を表示部１３に表示させる。そして、情報処理端末１２０は、会員情報取得部１２１により、個人端末１０に表示された会員情報を取得する。また、これ以外にも、例えば、情報処理端末１２０に表示された会員情報入力画面に、会員１０ＡがＩＤナンバーやパスワード等の会員情報を入力してもよい。
【００８６】
＜＜ステップＳ１２０＞＞
次に、情報処理端末１２０は、取得した会員情報、会員１０Ａが購入する商品の購入代金に関する情報、及びポイント決済が選択されたことを示す情報をポイント管理サーバ３０へ出力する。これにより、ポイント管理サーバ３０は、ポイント決済の処理を開始する。
【００８７】
＜＜ステップＳ１３０〜Ｓ１４０＞＞
ステップＳ１３０では、すでに述べたステップＳ３０と同様の処理が行われるので、ここでは説明を省略する。ステップＳ１４０では、ポイント決済実行部３５は、すでに述べた、例えば図４に示すアクセス情報３１Ｂを生成する。ポイント決済実行部３５は、生成したアクセス情報を、対応する情報処理端末１２０へ出力する。
【００８８】
＜＜ステップＳ１５０＞＞
次に、情報処理端末１２０は、入力されたアクセス情報を表示部１２３に表示する。会員１０Ａは、自身の個人端末１０操作して撮像部１１を起動させる。会員１０Ａの個人端末１０は、撮像部１１を用いて情報処理端末１２０の表示部１２３に表示されたアクセス情報を撮像し取得する（Ｓ１５０）。
【００８９】
＜＜ステップＳ１７０〜Ｓ１９０＞＞
ステップＳ１７０〜Ｓ１９０は、すでに述べたステップＳ７０〜Ｓ９０とそれぞれ同様の処理が行われるので、ここでは説明を省略する。
【００９０】
＜＜ステップＳ２００＞＞
ステップＳ２００は、店舗内端末２０が情報処理端末１２０へ変更されたことを前提に、すでに述べたステップＳ１００の内容と同様の処理が行われる。ここでは、ステップＳ１００との相違点を中心に説明する。
【００９１】
ポイント決済実行部３５は、ポイント決済を実行すると、ポイント決済が実行されたことを、対応する情報処理端末１２０へ通知する。情報処理端末１２０は、ポイント決済実行部３５からの通知に基づいて、ポイント決済が完了したことを示す画面を表示部１２３に表示する。
【００９２】
＜＜ポイント消費情報の内容を許諾しない場合の処理＞＞
ポイント消費情報の内容を許諾しない場合の処理は、すでに述べた通りであるので、ここでは説明を省略する。
【００９３】
＜本実施の形態による効果＞
本実施の形態によれば、前述の実施の形態における各効果に加え、以下の効果が得られる。本実施の形態によれば、情報処理端末１２０に表示された商品販売サイトから購入する商品の代金が、ポイント決済により支払われる。この構成によれば、ネットワーク４０を介した商品の代金の支払い時においても、会員１０Ａが保有するポイントを効率的に利用することが可能となる。
【００９４】
なお、本考案は前述した実施の形態に限定されるものではなく、様々な変形例が含まれる。例えば、個人端末１０と店舗内端末２０との間にでは、近距離無線通信により各種情報の入出力が行われてもよい。近距離無線通信は、例えば、１ｍ以内の近距離で行われる無線通信である。近距離無線通信には、例えば、ＮＦＣ（Ｎｅａｒ  ｆｉｅｌｄ  ｃｏｍｍｕｎｉｃａｔｉｏｎ）等の国際規格が用いられる。
【００９５】
また、例えば、上記した実施の形態は本考案を分かりやすく説明するために詳細に説明したものであり、必ずしも説明した全ての構成を備えるものに限定されるものではない。また、各部の大きさは、図面等の記載に限定されるものではなく、適宜変更可能である。
【符号の説明】
【００９６】
１…ポイント決済装置、１０…個人端末、１１…撮像部、１３…表示部（第１の表示部）、１５…ネットワーク通信部、２０…店舗内端末、２１…会員情報取得部、２３…表示部（第２の表示部）、２５…ネットワーク通信部、３０…ポイント管理サーバ、３１…会員ページ、３３…加盟店ページ、３５…ポイント決済実行部、３７…ネットワーク通信部、１０１…ポイント決済装置、１２０…情報処理端末、１２３…表示部（第３の表示部）
【図１】
0003212409.tif 000003
【図２】
0003212409.tif 000004
【図３】
0003212409.tif 000005
【図４】
0003212409.tif 000006
【図５】
0003212409.tif 000007
【図６】
0003212409.tif 000008
【図７】
0003212409.tif 000009
【図８】
0003212409.tif 000010
【図９】
0003212409.tif 000011